(57)【要約】【課題】  液晶表示部にバックライトを提供する発光部に必要な電圧を電源の出力電圧から生成するＤＣ−ＤＣコンバータを、発光部以外の構成要素に必要な電圧を生成するＤＣ−ＤＣコンバータとしても利用できるようにする。【解決手段】  液晶表示部にバックライトを提供する発光手段２６と、映像データを送信する通信手段１４と、ＤＣ−ＤＣコンバータ１１から発光手段２６に流れる電流を制御する制御手段１２とを有し、制御手段１２は、ＤＣ−ＤＣコンバータ１１から発光手段２６に流れる電流を制御することにより、ＤＣ−ＤＣコンバータ１１の出力電圧を第１の電圧、第１の電圧よりも低い第２の電圧のいずれかに変更する。【選択図】  図１
2011050157.tif 000002
【特許請求の範囲】
【請求項１】
液晶表示部にバックライトを提供する発光手段と、
映像データを送信する通信手段と、
ＤＣ−ＤＣコンバータから前記発光手段に流れる電流を制御する制御手段とを有し、
前記制御手段は、前記ＤＣ−ＤＣコンバータから前記発光手段に流れる電流を制御することにより、前記ＤＣ−ＤＣコンバータの出力電圧を第１の電圧、前記第１の電圧よりも低い第２の電圧のいずれかに変更することを特徴とする電子機器。
【請求項２】
前記発光手段と並列に接続された抵抗器と、
前記発光手段と前記ＤＣ−ＤＣコンバータとの間の接続を切断するための第１の切り替え手段と、
前記発光手段と前記抵抗器と並列に接続または切断するための第２の切り替え手段とを有し、
前記ＤＣ−ＤＣコンバータの出力電圧を前記第１の電圧から前記第２の電圧に変更する場合、前記制御手段は、前記第１の切り替え手段を切断状態にし、前記第２の切り替え手段を接続状態にすることを特徴とする請求項１に記載の電子機器。
【請求項３】
前記制御手段は、前記第２の切り替え手段を接続状態にした後に、前記第１の切り替え手段を切断状態にすることを特徴とする請求項２に記載の電子機器。
【請求項４】
前記制御手段は、前記第２の切り替え手段を接続状態にする前に、前記ＤＣ−ＤＣコンバータの出力電圧を前記第１の電圧から前記第２の電圧に変更することを特徴とする請求項２または３に記載の電子機器。
【請求項５】
前記制御手段は、前記第２の切り替え手段を接続状態にする前に、前記液晶表示部への映像データの供給を停止することを特徴とする請求項２から４のいずれか１項に記載の電子機器。
【発明の詳細な説明】
【技術分野】
【０００１】
本発明は、液晶表示部を有する電子機器に関する。
【背景技術】
【０００２】
デジタルカメラなどの電子機器に液晶表示部を搭載する場合、液晶表示部にバックライトを提供する発光部が必要である。発光部には、ＬＥＤ（Light Emitting Diode）を用いるものがある。特許文献１には、液晶表示部にバックライトを提供する複数の発光部を有するＬＥＤ点灯回路が記載されている。
【先行技術文献】
【特許文献】
【０００３】
【特許文献１】特開２００７−２２０８５５号公報
【発明の概要】
【発明が解決しようとする課題】
【０００４】
特許文献１に記載されたＬＥＤ点灯回路は、電源の出力電圧を制御するＤＣ−ＤＣコンバータを有する。
【０００５】
しかしながら、特許文献１に記載されたＤＣ−ＤＣコンバータは、発光部に必要な電圧を電源の出力電圧から生成することはできるが、発光部以外の回路に必要な電圧を電源の出力電圧から生成することはできない。そのため、特許文献１に記載されたＤＣ−ＤＣコンバータを、発光部以外の構成要素（例えば、映像データの送信を行う通信部）のＤＣ−ＤＣコンバータとして利用することはできなかった。
【０００６】
そこで、本発明は、液晶表示部にバックライトを提供する発光部に必要な電圧を電源の出力電圧から生成するＤＣ−ＤＣコンバータを、発光部以外の構成要素に必要な電圧を生成するＤＣ−ＤＣコンバータとしても利用できるようにすることを目的とする。
【課題を解決するための手段】
【０００７】
本発明に係る電子機器は、液晶表示部にバックライトを提供する発光手段と、映像データを送信する通信手段と、ＤＣ−ＤＣコンバータから前記発光手段に流れる電流を制御する制御手段とを有し、前記制御手段は、前記ＤＣ−ＤＣコンバータから前記発光手段に流れる電流を制御することにより、前記ＤＣ−ＤＣコンバータの出力電圧を第１の電圧、前記第１の電圧よりも低い第２の電圧のいずれかに変更することを特徴とする。
【発明の効果】
【０００８】
本発明によれば、液晶表示部にバックライトを提供する発光部に必要な電圧を電源の出力電圧から生成するＤＣ−ＤＣコンバータを、発光部以外の構成要素に必要な電圧を生成するＤＣ−ＤＣコンバータとしても利用することができる。
【図面の簡単な説明】
【０００９】
【図１】本発明の実施形態に係る電子機器の構成の一例を示すブロック図である。
【図２】本発明の実施形態に係る電子機器で行われる処理の手順を示すフローチャートである。
【図３】本発明の実施形態に係る電子機器で行われる省電力処理の手順を示すフローチャートである。
【発明を実施するための形態】
【００１０】
図１は、本発明の実施形態に係る電子機器１００の構成の一例を示すブロック図である。本実施形態に係る電子機器１００は、例えば、デジタルカメラ、デジタルビデオカメラ、携帯電話等から構成される。
【００１１】
電子機器１００は、バッテリ１０、ＤＣ−ＤＣコンバータ１１、ＣＰＵ（Central Processing Unit）１２、メモリ１３、カメラ部１４、記録媒体１５、液晶表示部１６、ＨＤＭＩ部１７及びＵＩ（ユーザインターフェース）部１８を有する。
【００１２】
バッテリ１０は、電子機器１００の電源であり、電子機器１００から取り外し可能である。
【００１３】
ＤＣ−ＤＣコンバータ１１は、パワーインダクタ２３、平滑コンデンサ２４、フライホイールダイオード２５及び帰還制御部３０を有する。ＤＣ−ＤＣコンバータ１１は、定電流方式のＤＣ−ＤＣコンバータとして機能し、バッテリ１０の出力電圧を第１の電圧Ｖ１、第２の電圧Ｖ２のいずれかに変換することができる。本実施形態では、第１の電圧Ｖ１を、例えば１２Ｖ程度とする。また、本実施形態では、第２の電圧Ｖ２を、例えば６Ｖ程度とする。
【００１４】
ＣＰＵ１２は、メモリ１３に記録されている制御プログラムに従って、電子機器１００の構成要素の動作を制御する制御部である。
【００１５】
カメラ部１４は、被写体の光学像を撮影し、当該光学像に対応する映像データを生成し、生成した映像データをＣＰＵ１２に供給する。ＣＰＵ１２は、カメラ部１４からの映像データを液晶表示部１６及びＨＤＭＩ部１７に供給する。ＣＰＵ１２は、カメラ部１４で生成された映像データを、ユーザからの指示に応答して記録媒体１５に記録することもできる。ＣＰＵ１２は、カメラ部１４からの映像データを記録媒体１５に記録する前に、映像データを所定の画像圧縮方式に従って圧縮する。ＣＰＵ１２はさらに、記録媒体１５に記録されている映像データを、ユーザからの指示に応答して記録媒体１５から再生することもできる。記録媒体１５から再生された映像データは、ＣＰＵ１２で伸張された後、液晶表示部１６及びＨＤＭＩ部１７に供給される。
【００１６】
記録媒体１５は、メモリカード、ハードディスク装置等の記録媒体であり、電子機器１００から取り外し可能である。なお、記録媒体１５は、電子機器１００に内蔵されているものであってもよい。
【００１７】
液晶表示部１６は、液晶パネル等の表示パネルを有する。電子機器１００が撮影モードである場合、液晶表示部１６は、カメラ部１４で生成された映像データを表示することができる。電子機器１００が再生モードである場合、液晶表示部１６は、記録媒体１５から再生された映像データを表示することができる。
【００１８】
ＨＤＭＩ部１７は、ＨＤＭＩ（High-Definition Multimedia Interface）に準拠した通信部である。電子機器１００が撮影モードである場合、ＨＤＭＩ部１７は、カメラ部１４で生成された映像データをＨＤＭＩシンクに送信することができる。電子機器１００が再生モードである場合、ＨＤＭＩ部１７は、記録媒体１５から再生された映像データをＨＤＭＩシンクに送信することができる。ＨＤＭＩシンクは、テレビ、パーソナルコンピュータ等の外部装置である。本実施形態では、電子機器１００は、ＨＤＭＩソースとして動作する。
【００１９】
ＵＩ部１８は、電子機器１００を操作するのに必要なボタン、スイッチ等を有するユーザインターフェースである。ユーザによる操作は、ＵＩ部１８を介してＣＰＵ１２に入力される。電子機器１００の電源をＯＮまたはＯＦＦにする電源ボタンと、電子機器１００の動作モードを撮影モード、再生モードのいずれかに切り替えることを電子機器１００に指示するモード切替ボタンは、ＵＩ部１８に含まれる。撮影、記録、再生等を電子機器１００に指示するボタンもＵＩ部１８に含まれる。
【００２０】
電子機器１００は、ＬＰＦ（Low Pass Filter）２０、バックライトスイッチ２１、切り替えスイッチ２２、パワーインダクタ２３、平滑コンデンサ２４、フライホイールダイオード２５を有する。電子機器１００はさらに、バックライト部２６、電流設定抵抗器２７、電圧設定抵抗器２８及び５Ｖレギュレータ２９を有する。
【００２１】
バックライトスイッチ２１は、ＤＣ−ＤＣコンバータ１１と液晶表示部１６とを並列に接続または切断するためのスイッチである。切り替えスイッチ２２は、液晶表示部１６と電圧設定抵抗器２８とを並列に接続または切断するためのスイッチである。バックライトスイッチ２１は、第１の切り替え手段として動作し、切り替えスイッチ２２は、第２の切り替え手段として動作する。
【００２２】
バックライト部２６は、複数のＬＥＤ（Light Emitting Diode）を有し、液晶表示部１６にバックライトを提供する発光部である。
【００２３】
５Ｖレギュレータ２９は、バックライト部２６のアノード電圧を５Ｖ程度に定電圧化するレギュレータとして機能する。５Ｖレギュレータ２９はさらに、バックライト部２６に供給される１２ＶがＨＤＭＩ部１７に印加されないようにするロードスイッチとして機能する。５Ｖレギュレータ２９で生成された電圧（約５Ｖ）は、ＨＤＭＩ部１７に供給される。ＨＤＭＩ部１７は、＋５Ｖ電源を生成し、生成した＋５Ｖ電源をＨＤＭＩケーブルを介してＨＤＭＩシンクに供給する。
【００２４】
帰還制御部３０は、スイッチ３１、位相補償部３２、エラーアンプ３３及びＰＷＭ（Pulse Width Modulation）コントローラ３４を有する。帰還制御部３０は、ＣＰＵ１２からの電流指令値に従って、ＤＣ−ＤＣコンバータ１１からバックライト部２６に流れる電流を調整する。帰還制御部３０はさらに、ＤＣ−ＤＣコンバータ１１の出力電圧が安定するように帰還制御を行う。本実施形態では、ＤＣ−ＤＣコンバータ１１の出力電圧を「出力電圧Ｖ０」と呼ぶ。
【００２５】
出力電圧Ｖ０は、下記の数式（１）で表される。
Ｖ０＝(ＶＩＮ＋＋Ｖoffset)×｛１＋(ＲＬ＋ＲＯＮ)／ＲＬＥＤ｝    ・・・（１）
数式（１）において、ＶＩＮ＋は、ＣＰＵ１２から指示された電流指令値に対応する電圧値である。Ｖoffsetは、エラーアンプ３３の入力オフセット電圧値である。ＲＬは、電圧設定抵抗器２８の抵抗値である。ＲＯＮは、切り替えスイッチ２２のオン抵抗に対応する値である。ＲＬＥＤは、電流設定抵抗器２７の抵抗値である。例えば、ＶＩＮ＋＝０．０６Ｖ、Ｖoffset＝０Ｖ、ＲＬ＝１ｋΩ、ＲＯＮ＝５Ω、ＲＬＥＤ＝１０Ωである場合、Ｖ０は６．０９Ｖである。
【００２６】
ＣＰＵ１２は、ＤＣ−ＤＣコンバータ１１からバックライト部２６に流れる電流を制御することにより、出力電圧Ｖ０を第１の電圧Ｖ１、第２の電圧Ｖ２のいずれかに変更することができる。バックライト部２６に流れる電流は、ＣＰＵ１２がＰＷＭポートから出力する電流指令値によって制御される。
【００２７】
出力電圧Ｖ０を第１の電圧Ｖ１（１２Ｖ程度）に変更する場合、ＣＰＵ１２は、電流指令値Ｉ１に対応するＰＷＭ信号Ｐ１をＰＷＭポートを介してＬＰＦ２０に供給する。電流指令値Ｉ１は、出力電圧Ｖ０を第１の電圧Ｖ１に変更するための電流指令値である。ＬＰＦ２０は、ＣＰＵ１２のＰＷＭポートからのＰＷＭ信号Ｐ１を、電流指令値Ｉ１に対応する直流電圧に変換する。電流指令値Ｉ１に対応する直流電圧は、エラーアンプ３３の非反転入力端子（＋端子）に入力される。帰還制御部３０は、電流指令値Ｉ１に対応する直流電圧に従って帰還制御を行う。これにより、出力電圧Ｖ０は、第１の電圧Ｖ１に変更される。
【００２８】
出力電圧Ｖ０を第２の電圧Ｖ２（６Ｖ程度）に変更する場合、ＣＰＵ１２は、電流指令値Ｉ２に対応するＰＷＭ信号Ｐ２をＰＷＭポートを介してＬＰＦ２０に供給する。電流指令値Ｉ２は、出力電圧Ｖ０を第２の電圧Ｖ２に変更するための電流指令値である。ＬＰＦ２０は、ＣＰＵ１２のＰＷＭポートからのＰＷＭ信号Ｐ２を、電流指令値Ｉ２に対応する直流電圧に変換する。電流指令値Ｉ２に対応する直流電圧は、エラーアンプ３３の非反転入力端子（＋端子）に入力される。帰還制御部３０は、電流指令値Ｉ２に対応する直流電圧に従って帰還制御を行う。これにより、出力電圧Ｖ０は、第２の電圧Ｖ２に変更される。
【００２９】
出力電圧Ｖ０が第１の電圧Ｖ１に変更された場合、ＣＰＵ１２は、バックライト部２６を発光状態にする。出力電圧Ｖ０が第２の電圧Ｖ２に変更された場合、ＣＰＵ１２は、バックライト部２６を消灯状態にする。５Ｖレギュレータ２９は、出力電圧Ｖ０が第１の電圧Ｖ１、第２の電圧Ｖ２のいずれに変更されても、正常に動作することができ、ＨＤＭＩ部１７に必要な電圧（約５Ｖ）を生成することができる。
【００３０】
このように、本実施形態に係る電子機器１００では、バッテリ１０及びＤＣ−ＤＣコンバータ１１を、バックライト部２６及びＨＤＭＩ部１７で共用することができる。
【００３１】
図２は、本実施形態に係る電子機器１００で行われる処理の手順を示すフローチャートである。図２に示す処理手順は、例えば、電子機器１００の電源ボタンがＯＮにされたときに開始される。また、図２に示す処理手順は、メモリ１３に記録されている制御プログラムに従って、ＣＰＵ１２が制御する。
【００３２】
Ｓ２０１において、ＣＰＵ１２は、再生モードが選択されているか否かを判定する。再生モードが選択されている場合は、Ｓ２０２に進む（Ｓ２０１でＹＥＳ）。再生モードではなく撮影モードが選択されている場合は、Ｓ２１１に進む（Ｓ２０１でＮＯ）。
【００３３】
Ｓ２０２において、ＣＰＵ１２は、再生モードで電子機器１００を起動する。電子機器１００が再生モードである場合、ＣＰＵ１２は、ユーザからの指示に応答して、記録媒体１５に記録されている映像データを、ユーザからの指示に応答して記録媒体１５から再生することができる。記録媒体１５から再生された映像データは、液晶表示部１６及びＨＤＭＩ部１７に供給される。
【００３４】
Ｓ２０３において、ＣＰＵ１２は、出力電圧Ｖ０を第１の電圧Ｖ１（１２Ｖ程度）に変更するために、ＰＷＭ信号Ｐ１をＰＷＭポートから出力する。ＣＰＵ１２はさらに、バックライト部２６を発光状態にするために、バックライトスイッチ２１をＯＮ（接続状態）にし、切り替えスイッチ２２をＯＦＦ（切断状態）にする。切り替えスイッチ２２は、バックライトスイッチ２１がＯＮ（接続状態）にされた後に、ＯＦＦ（切断状態）される。これにより、バックライト部２６は、発光状態になる。出力電圧Ｖ０が第１の電圧Ｖ１に変更された場合であっても、５Ｖレギュレータ２９は、第１の電圧Ｖ１を約５Ｖに変換することができる。５Ｖレギュレータ２９で生成された約５Ｖは、ＨＤＭＩ部１７に供給される。ＨＤＭＩ部１７は、＋５Ｖ電源を生成し、生成した＋５Ｖ電源をＨＤＭＩケーブルを介してＨＤＭＩシンクに供給する。
【００３５】
Ｓ２０４において、ＣＰＵ１２は、ＨＤＭＩシンクから電子機器１００に供給されるＨＰＤ（Hot Plug Detect）信号がＨｉであるか否かを判定する。ＨＤＭＩシンクが電子機器１００と接続可能である場合、ＨＰＤ信号はＨｉである。ＨＤＭＩシンクが電子機器１００と接続可能でない場合、ＨＰＤ信号はＬｏｗである。ＨＰＤ信号がＨｉであると判定された場合は、Ｓ２０５に進む（Ｓ２０４でＹＥＳ）。ＨＰＤ信号がＬｏｗであると判定された場合は、Ｓ２１０に進む（Ｓ２０４でＮＯ）。
【００３６】
Ｓ２０５において、ＣＰＵ１２は、液晶表示部１６への映像データの供給を停止する。本実施形態では、バックライト部２６の輝度の変化を見えにくくするために、Ｓ２０６が実行される前にＳ２０５を実行する。
【００３７】
Ｓ２０６において、ＣＰＵ１２は、出力電圧Ｖ０を第２の電圧Ｖ２（６Ｖ程度）に変更するために、ＰＷＭ信号Ｐ２をＰＷＭポートから出力する。出力電圧Ｖ０が第２の電圧Ｖ２に変更された場合であっても、５Ｖレギュレータ２９は、第２の電圧Ｖ２を約５Ｖに変換することができる。５Ｖレギュレータ２９で生成された約５Ｖは、ＨＤＭＩ部１７に供給される。ＨＤＭＩ部１７は、＋５Ｖ電源を生成し、生成した＋５Ｖ電源をＨＤＭＩケーブルを介してＨＤＭＩシンクに供給する。出力電圧Ｖ０が第２の電圧Ｖ２に変更された場合、バックライト部２６に流れる電流は、バックライト部２６が実質的に消灯状態になる程度低いものになる。
【００３８】
Ｓ２０７において、ＣＰＵ１２は、切り替えスイッチ２２をＯＮ（接続状態）にする。
【００３９】
Ｓ２０８において、ＣＰＵ１２は、バックライト部２６を消灯状態にするために、バックライトスイッチ２１をＯＦＦ（切断状態）にする。これにより、バックライト部２６に流れる電流経路を遮断することができ、バックライト部２６がほのかに光ってしまうことを防止することができる。
【００４０】
Ｓ２０９において、ＣＰＵ１２は、電子機器１００とＨＤＭＩシンクとの間にＨＤＭＩ接続を確立させ、ＨＤＭＩ出力処理を開始する。ＨＤＭＩ出力処理が開始されると、ＨＤＭＩ部１７は、記録媒体１５から再生された映像データを外部装置（テレビ、パーソナルコンピュータ等）に送信することができる。ＨＤＭＩ出力処理が実行されている期間、バックライトスイッチ２１は、ＯＦＦ（切断状態）であるので、バックライト部２６は消灯状態である。これにより、電子機器１００は、ＨＤＭＩ接続中の消費電力を抑えることができ、電子機器１００の使用可能時間を長くすることができる。
【００４１】
Ｓ２１０において、ＣＰＵ１２は、ユーザによる操作を検出できなかった期間が所定時間Ｔを超えたか否かを判定する。所定時間Ｔは、ＵＩ部１８を介してユーザが自由に設定できる時間でもよいし、ユーザが自由に変更できない時間でもよい。所定時間Ｔには、例えば、３０秒、１分、３分等が考えられるが、これらに限るものではない。ユーザによる操作を検出できなかった期間が所定時間Ｔを超えたと判定された場合は、「省電力処理」を開始する（Ｓ２１０でＹＥＳ）。「省電力処理」については、図３を参照して説明する。所定時間Ｔが経過する前にユーザによる操作が検出できた場合は、Ｓ２０４に戻る（Ｓ２１０でＮＯ）。
【００４２】
Ｓ２１１において、ＣＰＵ１２は、撮影モードで電子機器１００を起動する。電子機器１００が撮影モードである場合、カメラ部１４は、被写体の光学像を撮影し、当該光学像に対応する映像データを生成することができる。カメラ部１４で生成された映像データは、液晶表示部１６及びＨＤＭＩ部１７に供給される。また、ＣＰＵ１２は、カメラ部１４で生成された映像データを、ユーザからの指示に応答して記録媒体１５に記録することもできる。
【００４３】
Ｓ２１２において、ＣＰＵ１２は、出力電圧Ｖ０を第１の電圧Ｖ１（１２Ｖ程度）に変更するために、ＰＷＭ信号Ｐ１をＰＷＭポートから出力する。ＣＰＵ１２はさらに、バックライト部２６を発光状態にするために、バックライトスイッチ２１をＯＮ（接続状態）にし、切り替えスイッチ２２をＯＦＦ（切断状態）にする。切り替えスイッチ２２は、バックライトスイッチ２１がＯＮ（接続状態）にされた後に、ＯＦＦ（切断状態）される。これにより、バックライト部２６は、発光状態になる。出力電圧Ｖ０が第１の電圧Ｖ１に変更された場合であっても、５Ｖレギュレータ２９は、第１の電圧Ｖ１を約５Ｖに変換することができる。５Ｖレギュレータ２９で生成された約５Ｖは、ＨＤＭＩ部１７に供給される。ＨＤＭＩ部１７は、＋５Ｖ電源を生成し、生成した＋５Ｖ電源をＨＤＭＩケーブルを介してＨＤＭＩシンクに供給する。
【００４４】
Ｓ２１３において、ＣＰＵ１２は、ＨＤＭＩシンクから電子機器１００に供給されるＨＰＤ信号がＨｉであるか否かを判定する。ＨＰＤ信号がＨｉであると判定された場合は、Ｓ２１４に進む（Ｓ２１３でＹＥＳ）。ＨＰＤ信号がＬｏｗであると判定された場合は、Ｓ２１５に進む（Ｓ２１３でＮＯ）。
【００４５】
Ｓ２１４において、ＣＰＵ１２は、電子機器１００の動作モードが再生モードに変更されているか否かを判定する。電子機器１００の動作モードが再生モードに変更されている場合は、Ｓ２０２に進む（Ｓ２１４でＹＥＳ）。電子機器１００の動作モードが再生モードではなく撮影モードであると判定された場合は、Ｓ２１３に戻る（Ｓ２１４でＮＯ）。
【００４６】
Ｓ２１５において、ＣＰＵ１２は、ユーザからのシャットダウン要求があるか否かを判定する。シャットダウン要求は、電源ボタンをＯＦＦにすることでＣＰＵ１２に入力される。シャットダウン要求があると判定された場合は、本フローチャートを終了する（Ｓ２１５でＹＥＳ）。シャットダウン要求がないと判定された場合は、Ｓ２１６に進む（Ｓ２１５でＮＯ）。
【００４７】
Ｓ２１６において、ＣＰＵ１２は、ユーザによる操作を検出できなかった期間が所定時間Ｔを超えたか否かを判定する。ユーザによる操作を検出できなかった期間が所定時間Ｔを超えたと判定された場合は、「省電力処理」を開始する（Ｓ２１６でＹＥＳ）。所定時間Ｔが経過する前にユーザによる操作が検出できた場合は、Ｓ２１３に戻る（Ｓ２１６でＮＯ）。
【００４８】
図３は、本実施形態に係る電子機器１００で行われる省電力処理の手順を示すフローチャートである。
【００４９】
Ｓ２１７において、ＣＰＵ１２は、液晶表示部１６への映像データの出力を停止する。本実施形態では、バックライト部２６の輝度の変化を見えにくくするために、Ｓ２１８が実行される前にＳ２１７を実行する。
【００５０】
Ｓ２１８において、ＣＰＵ１２は、出力電圧Ｖ０を第２の電圧Ｖ２（６Ｖ程度）に変更するために、ＰＷＭ信号Ｐ２をＰＷＭポートから出力する。出力電圧Ｖ０が第２の電圧Ｖ２に変更された場合であっても、５Ｖレギュレータ２９は、第２の電圧Ｖ２を約５Ｖに変換することができる。５Ｖレギュレータ２９で生成された約５Ｖは、ＨＤＭＩ部１７に供給される。ＨＤＭＩ部１７は、＋５Ｖ電源を生成し、生成した＋５Ｖ電源をＨＤＭＩケーブルを介してＨＤＭＩシンクに供給する。
【００５１】
Ｓ２１９において、ＣＰＵ１２は、切り替えスイッチ２２をＯＮ（接続状態）にする。
【００５２】
Ｓ２２０において、ＣＰＵ１２は、バックライト部２６を消灯状態にするために、バックライトスイッチ２１をＯＦＦ（切断状態）にする。これにより、バックライト部２６に流れる電流経路を遮断することができ、バックライト部２６がほのかに光ってしまうことを防止することができる。
【００５３】
Ｓ２２１において、ＣＰＵ１２は、ＨＤＭＩシンクから供給されるＨＰＤ（Hot Plug Detect）信号がＨｉであるか否かを判定する。ＨＰＤ信号がＨｉであると判定された場合は、Ｓ２２２に進む（Ｓ２２１でＹＥＳ）。ＨＰＤ信号がＬｏｗであると判定された場合は、Ｓ２２４に進む（Ｓ２２１でＮＯ）。
【００５４】
Ｓ２２２において、ＣＰＵ１２は、電子機器１００の動作モードが再生モードに設定されているか否かを判定する。電子機器１００の動作モードが再生モードに設定されている場合は、Ｓ２２３に進む（Ｓ２２２でＹＥＳ）。電子機器１００の動作モードが再生モードではなく撮影モードに設定されている場合は、Ｓ２２４に進む（Ｓ２２２でＮＯ）。
【００５５】
Ｓ２２３において、ＣＰＵ１２は、電子機器１００とＨＤＭＩシンクとの間にＨＤＭＩ接続を確立させ、ＨＤＭＩ出力処理を開始する。ＨＤＭＩ出力処理が開始されると、ＨＤＭＩ部１７は、記録媒体１５から再生された映像データを外部装置（テレビ、パーソナルコンピュータ等）に送信することができる。ＨＤＭＩ出力処理が実行されている期間、バックライトスイッチ２１は、ＯＦＦ（切断状態）であるので、バックライト部２６は消灯状態である。これにより、電子機器１００は、ＨＤＭＩ接続中の消費電力を抑えることができ、電子機器１００の使用可能時間を長くすることができる。
【００５６】
Ｓ２２４において、ＣＰＵ１２は、ユーザによる操作が検出されたか否かを判定する。ユーザによる操作が検出された場合は、Ｓ２２５に進む（Ｓ２２４でＹＥＳ）。ユーザによる操作が検出されなかった場合は、Ｓ２２１に戻る（Ｓ２２４でＮＯ）。
【００５７】
Ｓ２２５において、ＣＰＵ１２は、Ｓ２２４で検出されたユーザ操作がシャットダウン要求であるか否かを判定する。Ｓ２２４で検出されたユーザ操作がシャットダウン要求であると判定された場合は、本フローチャートを終了する（Ｓ２２５でＹＥＳ）。Ｓ２２４で検出されたユーザ操作がシャットダウン要求でないと判定された場合は、Ｓ２０１に戻る（Ｓ２２５でＮＯ）。
【００５８】
このように、本実施形態に係る電子機器１００によれば、バッテリ１０及びＤＣ−ＤＣコンバータ１１を、バックライト部２６及びＨＤＭＩ部１７で共用することができる。
【００５９】
また、本実施形態に係る電子機器１００によれば、電子機器１００が再生モードである場合に、ＨＰＤ信号がＨｉであるときは、出力電圧Ｖ０を第１の電圧Ｖ１（１２Ｖ程度）から第２の電圧Ｖ２（６Ｖ程度）に切り替えることができる。これにより、電子機器１００は、ＨＤＭＩ接続中の消費電力を抑えることができ、電子機器１００の使用可能時間を長くすることができる。
【００６０】
なお、本実施形態では、バッテリ１０及びＤＣ−ＤＣコンバータ１１をバックライト部２６及びＨＤＭＩ部１７で共用する構成を説明したが、本発明はこのような構成に限るものではない。ＨＤＭＩ部１７をＨＤＭＩ部１７以外の通信部に置き換えてもよい。例えば、ＨＤＭＩ部１７をＵＳＢ（Universal Serial Bus）に準拠した通信部に置き換えてもよい。また、ＨＤＭＩ部１７を、データ通信以外の用途に利用される電子機器１００の構成要素に置き換えることも可能である。
【００６１】
また、本実施形態では、第１の電圧Ｖ１を、例えば１２Ｖ程度としたがこれに限るものではない。また、本実施形態では、第２の電圧Ｖ２を、例えば６Ｖ程度としたがこれに限るものではない。
【符号の説明】
【００６２】
１００  電子機器
１０  バッテリ
１１  ＤＣ−ＤＣコンバータ
１２  ＣＰＵ
１３  メモリ
１４  カメラ部
１５  記録媒体
１６  液晶表示部
１７  ＨＤＭＩ部
１８  ユーザインターフェース部
２０  ＬＰＦ
２１  バックライトスイッチ
２２  切り替えスイッチ
２３  パワーインダクタ
２４  平滑コンデンサ
２５  フライホイールダイオード
２６  バックライト部
２７  電流設定抵抗
２８  電圧設定抵抗
２９  ５Ｖレギュレータ
３０  帰還制御部
３１  スイッチ
３２  位相補償部
３３  エラーアンプ
３４  ＰＷＭコントローラ
【図１】
2011050157.tif 000003
【図２】
2011050157.tif 000004
【図３】
2011050157.tif 000005